(57)【要約】【課題】端子台を使用しない場合に、端子台に配線が誤挿入されるのを防止することのできる端子台のカバーを提供する。【解決手段】端子穴Ｔ１が設けられた端子台Ｔのカバー１において、開口部２と、閉鎖部３と、を備えるものとし、端子台Ｔに対して、少なくとも第１の取付状態（開口部２が、端子穴Ｔ１の前面側に位置する様に、カバー１が端子台Ｔに取付けられた状態）と、第２の取付状態（閉鎖部３が、端子穴Ｔ１の前面側に位置する様に、カバー１が端子台Ｔに取付けられた状態）と、を選択して取付可能に構成する。【選択図】図１
2020149833.tif 000002
【特許請求の範囲】
【請求項１】
端子穴が設けられた端子台のカバーであって、
開口部と、閉鎖部と、を備え、
該端子台に対して、少なくとも第１の取付状態と、第２の取付状態と、を選択して取付可能に構成されており、
該第１の取付状態は、該開口部が、該端子穴の前面側に位置する様に、該カバーが該端子台に取付けられた状態であり、
該第２の取付状態は、該閉鎖部が、該端子穴の前面側に位置する様に、該カバーが該端子台に取付けられた状態であることを特徴とするカバー。
【請求項２】
少なくとも前記第１の取付状態において視認可能な位置に銘板が貼付可能に設けられた貼付部を更に備えることを特徴とする請求項１に記載のカバー。
【請求項３】
前記貼付部は、第１の対辺部と、第２の対辺部と、を有しており、
該第１の対辺部は、一方の辺部が前記開口部と、他方の辺部が前記閉鎖部と、連続し、
該第２の対辺部は、前記端子台に前記カバーを取り付けるための取付部と連続していることを特徴とする請求項２に記載のカバー。
【請求項４】
前記閉鎖部及び前記取付部は、前記貼付部に対して、反転可能に連続していることを特徴とする請求項３に記載のカバー。
【発明の詳細な説明】
【技術分野】
【０００１】
本発明は、カバーに関し、より詳細には、端子台のカバーに関する。
【背景技術】
【０００２】
従来、プリント基板に実装される端子台がある。通常、この様な端子台には、複数の端子穴が並列されており、該端子穴に、リード線等の配線を挿入するだけで結線が完了するので、非常に簡便に結線を行うことができるものである（例えば、特許文献１を参照）。
【先行技術文献】
【特許文献】
【０００３】
【特許文献１】実用新案登録第３１９９７６０号公報
【発明の概要】
【発明が解決しようとする課題】
【０００４】
この様な端子台は、同じ機器であったとしても、それが配置される物件ごとに、基板の端子台に配線が結線され使用されるか否かが変わるものである。特に、配線が結線される予定のない基板であっても、端子穴は、塞がれておらず、配線を結線することが可能であるため、その外観だけでは、その基板の端子台に配線が結線されるか否かが判別することができないものであった。
【０００５】
そして、機器によっては、複数の基板を備えるものもあり、基板の一部の端子台のみに配線が結線されるようなケースさえもあるものである。そのため、使用しない端子台に、配線が誤挿入されてしまい、当該機器が正常に動作しないという問題が生じており、端子台を使用しない場合に、端子台に配線が結線されるのを防止することのできる端子台のカバーが望まれている。
【０００６】
そこで、本発明は、端子台を使用しない場合に、端子台に配線が誤挿入されるのを防止することのできる端子台のカバーを提供することを目的とする。
【課題を解決するための手段】
【０００７】
本発明は、端子穴が設けられた端子台のカバーであって、開口部と、閉鎖部と、を備え、該端子台に対して、少なくとも第１の取付状態と、第２の取付状態と、を選択して取付可能に構成されており、該第１の取付状態は、該開口部が、該端子穴の前面側に位置する様に、該カバーが該端子台に取付けられた状態であり、該第２の取付状態は、該閉鎖部が、該端子穴の前面側に位置する様に、該カバーが該端子台に取付けられた状態であることを特徴とするカバーである。
【０００８】
更に、本発明は、少なくとも前記第１の取付状態において視認可能な位置に銘板が貼付可能に設けられた貼付部を更に備えることが可能である。又、本発明は、前記貼付部が、第１の対辺部と、第２の対辺部と、を有しており、該第１の対辺部は、一方の辺部が前記開口部と、他方の辺部が前記閉鎖部と、連続し、該第２の対辺部は、前記端子台に前記カバーを取り付けるための取付部と連続しているものとすることが可能である。又、本発明は、前記閉鎖部及び前記取付部が、前記貼付部に対して、反転可能に連続しているものとすることが可能である。
【０００９】
尚、本発明において、「第１の」、「第２の」という文言を使用しているが、該文言は各構成を区別するために用いているに過ぎず、その順番や数値には特に意味はないものである。
【発明の効果】
【００１０】
本発明は、カバーを、閉鎖部を備えており、該閉鎖部が端子台の端子穴の前面側に位置する様に取付可能にしたため、該端子台に配線が結線されない場合には、該カバーによって端子穴を覆うことが可能であるため、端子台に配線が誤挿入されるのを防止することができる。又、本発明は、それに加えて、該カバーは、開口部を備えており、該開口部が端子台の端子穴の前面側に位置する様にも取付可能になっているため、端子台に配線が結線される場合であっても使用することが可能となっている。
【図面の簡単な説明】
【００１１】
【図１】本発明の実施形態を示す斜視図であり、（ａ）が第１の取付状態時の様子を、（ｂ）が第２の取付状態時の様子を、示す図である。
【図２】本発明の実施形態を示す図であり、第２の取付状態における拡大正面図である。
【図３】本発明の実施形態を示す図であり、防災盤の縮小正面図である。
【発明を実施するための形態】
【００１２】
本発明の実施形態を図１乃至図３に基づき説明する。カバー１は、基板Ｃに実装された端子台Ｔに取付可能に設けられた端子台のカバーである。基板Ｃは、例えば、防災盤Ｂに組み込まれる基板である。通常、防災盤Ｂには、複数の基板Ｃが組み込まれている。
【００１３】
端子台Ｔは、例えば、外線用端子台であり、複数の端子穴Ｔ１が並設されている。端子穴Ｔ１は、配線、例えば、リード線（図示せず）、が挿入されることで、結線可能に設けられている。尚、本実施形態の端子台Ｔは、端子穴Ｔ１が正面方向に向けられて並設されており、後述する様にカバー１によって端子穴Ｔ１が覆る様に略直方体形状をしている。尚、端子台Ｔとして、端子穴Ｔ１が傾斜方向に向けられて並設されている端子台（図示せず）等の他の端子台も適宜選択可能である。
【００１４】
カバー１は、開口部２及び閉鎖部３を備えており、カバー１は、端子台Ｔに対して、開口部２が端子穴Ｔ１の前面側に位置する様に取り付けられた第１の取付状態と、閉鎖部３が端子穴Ｔ１の前面側に位置する様に取り付けられた第２の取付状態の少なくとも何れかを選択して取付可能に構成されており、本実施形態においては、カバー１は、更に、貼付部４及び取付部５を備えた略直方体状を成している。
【００１５】
具体的に述べれば、カバー１は、端子台Ｔに前記配線が結線される場合は、該第１の取付状態で端子台Ｔに取付けられ、端子台Ｔに該配線が結線されない場合は、第２の取付状態で端子台Ｔに取付けられる様に構成されている。
【００１６】
開口部２は、前記第１の取付状態において、端子穴Ｔ１に前記配線を挿入可能とするために設けられている。本実施形態においては、開口部２は、カバー１の一面全面に亘って設けられているが、少なくとも、該第１の取付状態において、端子穴Ｔ１の前面側を塞がない様に設けられていればよく、該第１の取付状態において、端子穴Ｔ１と対向することとなる面に穴状又は切欠状に設け、開口部２とすることも可能である。
【００１７】
閉鎖部３は、前記第２の取付状態において、端子穴Ｔ１の前面側を塞ぎ、端子穴Ｔ１に前記配線が挿入されるのを防止するために設けられている。本実施形態においては、閉鎖部３は、カバー１の略一面を成す略矩形の板状に形成されているが、該第２の取付状態の際に、端子穴Ｔ１と対向する部分のみに（例えば、略コ（凵）字状の）閉鎖部３を設けることも可能である。
【００１８】
貼付部４は、銘板６が貼付可能に設けられており、少なくとも前記第１の取付状態又は前記第２の取付状態の何れかで視認可能な位置に設けられる。貼付部４は、後述する通り、基板Ｃの交換する際の利便性を考慮し、少なくとも該第１の取付状態で視認可能な位置に設けることが特に好ましい。
【００１９】
本実施形態においては、貼付部４は、カバー１の天板を構成していると共に略矩形に形成されており、その第１の対辺部４ａの一方の辺部（本実施形態においては、第１の長辺部４ａ１）が開口部２と、その他方の辺部（本実施形態においては、第２の長辺部４ａ２）が閉鎖部３と、第２の対辺部４ｂを構成する２つの辺部（本実施形態においては、短辺部４ｂ１，４ｂ２）の各々が取付部５と連続しており、貼付部４と対向する面は、カバー１を端子台Ｔに取付けるために空いている。
【００２０】
そのため、本実施形態においては、カバー１は、Z軸（開口部２又は閉鎖部３を正面として高さ方向の軸）を中心としてカバー１を略180°回転し、前後を入れ替えて端子台Ｔに取付けることで、前記第１の取付状態と前記第２の取付状態を選択可能となっていることとなる。
【００２１】
銘板６は、端子台Ｔに前記配線を結線等するために必要な情報を印字するために設けられている。銘板６は、前記第１の取付状態と前記第２の取付状態とで、異なる内容の銘板６を貼付部４に貼付する様にすることができ、例えば、該第１の取付状態で端子台Ｔに取付けられる際には、端子の種類を示す銘板６が貼付され（図１（ａ）を参照）、該第２の取付状態で端子台Ｔに取付けられる際には、「未使用」の旨が記載された銘板６が貼付される様にすることが可能である（図１（ｂ）を参照）。
【００２２】
取付部５は、カバー１を端子台Ｔに固定するために設けられている。本実施形態においては、取付部５の下端部には、カバー１の内方に向かって挿着部５ａが延在しており、端子台Ｔの側面側に設けられた端子台Ｔと基板Ｃとの間の間隙Ａに挿着部５ａを挿入することによって、カバー１が端子台Ｔに固定される。尚、カバー１を端子台Ｔに対してどの様に固定するかは、適宜選択することが可能であり、間隙Ａの代わりに端子台Ｔや基板Ｃに挿着部５ａが挿入可能に設けられた固定用の孔部（図示せず）を別途設けたり、カバー１が端子台Ｔに軸支される様にしたりすることも可能である。
【００２３】
従って、本実施形態においては、端子台Ｔに前記配線を結線しない場合に、カバー１を前記第２の取付状態で端子台Ｔに取付けることによって、閉鎖部３が端子穴Ｔ１の前面側を塞ぐ様になっているため、該配線が端子穴Ｔ１に誤挿入を防止することが可能となっている。更に、銘板６によって、その旨の注意喚起を行うことによって、更に誤挿入を防止することが可能となっている。
【００２４】
又、本実施形態において、カバー１が、端子台Ｔに前記配線が結線される場合にも、前記第１の取付状態で、端子台Ｔに取付可能となっていることで、以下の様な副次的な効果を齎すことが可能となっている。
【００２５】
通常、端子台には、各端子穴に端子の種類が印字された銘板が貼付等されているが、該端子の種類は、物件ごとに異なっている。そのため、故障等によって基板を交換する際に、該基板のみならず該銘板も手配する必要が生じていた。
【００２６】
対して、本実施形態においては、カバー１の貼付部４に銘板６が貼付可能となっており、端子台Ｔに配線が結線される場合においても、前記第１の取付状態で端子台Ｔに取付可能となっているため、端子台Ｔの大きさに略変化がないことを前提として、旧い基板Ｃより、新しい基板Ｃにカバー１を転用することが可能であり、基板Ｃを交換する際に、銘板６を手配する必要がなく、経済的なものとなっている。
【００２７】
更に、本実施形態においては、カバー１が、前記第１の取付状態と前記第２の取付状態とを選択して端子台Ｔに取付可能となっていることによって、略同じ大きさの端子台Ｔであれば、端子台Ｔに前記配線が結線されるか否かに関わらず、同じカバー１を使いまわすことが可能であるため、より経済的なものとなっている。
【００２８】
本発明を上記実施形態に基づいて説明したが、本発明は上記実施形態に限定されるものではなく発明の要旨を変更しない範囲で適宜変更可能である。
【００２９】
（１）上記実施形態においては、カバー１を、前記Z軸を中心としてカバー１を180°回転し、前後を入れ替え可能とすることで、前記第１の取付状態と前記第２の取付状態とを選択可能なものとしたが、閉鎖部３及び取付部５を貼付部４に対して反転可能に連続させ、カバー１を裏返すことで前記第１の取付状態と前記第２の取付状態とを選択可能なものとしてもよい。
【００３０】
その場合において、貼付部４の表面及び裏面の各々に銘板６（例えば、表面に端子の種類を示す銘板６を、裏面に「未使用」の旨を記載した銘板６）を貼付可能に設けることも可能である。
【００３１】
（２）上記実施形態においては、カバー１を、前記Z軸を中心としてカバー１を略180°回転し、前後を入れ替え可能とすることで、前記第１の取付状態と前記第２の取付状態とを選択可能なものとしたが、例えば、カバー１を、上記実施形態の貼付部４の位置に閉鎖部３を、閉鎖部３の位置に貼付部４を設けると共に端子台Ｔにカバー１を軸支可能なものとし、X軸（開口部２又は閉鎖部３を正面として水平方向の軸）を中心として略90°回動させて、端子穴Ｔ１と対向する面を入れ替えることで、該第１の取付状態と該第２の取付状態とを選択可能なものとしてもよい。
【００３２】
この場合において、カバー１の天板に貼付部４を設けずに、閉鎖部３が貼付部４を兼ねるものとしてもよく、又、貼付部４に「未使用」と記載された銘板６を貼付すると共に閉鎖部３に端子の種類を示す銘板６を貼付することも可能である。
【００３３】
（３）上記実施形態において、銘板６を貼付部４に貼付するものとしたが、カバー１に貼付部４を設けない様にすることも可能である。この場合において、カバー１に銘板６を直接印字する様にすることもでき、又、端子台Ｔ側に銘板６を設ける様にすることも可能である。
【符号の説明】
【００３４】
１      カバー              ２      開口部              ３      閉鎖部
４      貼付部              ４ａ    第１の対辺部        ４ａ１  第１の長辺部
４ａ２  第２の長辺部        ４ｂ    第２の対辺部        ４ｂ１  短辺部
４ｂ２  短辺部              ５      取付部              ５ａ    挿着部
６      銘板                Ａ      間隙                Ｂ      防災盤
Ｃ      基板                Ｔ      端子台              Ｔ１    端子穴
【図１】
2020149833.tif 000003
【図２】
2020149833.tif 000004
【図３】
2020149833.tif 000005